(57)【要約】【課題】            風の日であっても、ロウソクの火が吹き消されない燈明台を提供する。【解決手段】        ロウソクに火を点けて墓前に備える燈明台であって、  上面から内部に貫通する開口が設けられた基台と、該基台の開口内に設置され、その上端開口が基台上面に臨んで設けられる外筒と、該外筒内に出し入れ可能に収納され、引き上げた所定位置で位置保持可能な透明筒体の保護カバーと、該保護カバー内に位置して設置される頂部にロウソク立てを有するロウソク台と、を備える。【選択図】          図１
2014134033.tif 000002
【特許請求の範囲】
【請求項１】
ロウソクに火を点けて墓前に備える燈明台であって、
上面から内部に貫通する開口が設けられた基台と、該基台の開口内に設置され、その上端開口が基台上面に臨んで設けられる外筒と、該外筒内に出し入れ可能に収納され、引き上げた所定位置で位置保持可能な透明筒体の保護カバーと、該保護カバー内に位置して設置される頂部にロウソク立てを有するロウソク台と、を備え、
通常時は、保護カバーを外筒内に収納した状態でロウソク台のロウソク立てにロウソクを立てて使用可能とし、風の吹いている時は、ロウソク台のロウソク立てに立てたロウソクを囲む位置まで引き上げ位置保持させ、ロウソクの火が風で吹き消されるのを保護することを特徴とする燈明台。
【請求項２】
前記保護カバーの下部内部に直径方向に横断する格好でガイド棒が架設され、前記ロウソク台は筒体で形成され、該筒体のロウソク台の周面に垂直部から上部で水平部に連続する鉤状またはＴ字状のガイド孔が対称位置に対向する格好で設けられ、保護カバーは、ガイド棒がロウソク台の対向するガイド孔に貫通して挿入され、該対向するガイド孔にガイドされて出し入れ移動可能となっており、
保護カバーは、ガイド棒を前記対向するガイド孔の垂直部にガイドさせて引き上げ、上部で保護カバーを回動させガイド棒をガイド孔の水平部に位置させ、位置保持することを特徴とする請求項１記載の燈明台
【請求項３】
前記保護カバーの下部外周面には、ガイド突起が設けられ、前記外筒には、垂直部から上部で水平部に連続する鉤状またはＴ字状のガイド溝またはガイド孔が設けられ、保護カバーは、ガイド突起が外筒のガイド溝またはガイド孔に嵌入し、ガイド溝またはガイド孔にガイドされて出し入れ移動可能となっており、保護カバーは、ガイド突起を前記ガイド溝またはガイド孔の垂直部にガイドさせて引き上げ、上部で保護カバーを回動させガイド突起をガイド溝またはガイド孔の水平部に位置させ、位置保持することを特徴とする請求項１記載の燈明台
【請求項４】
前記保護カバーの下部内周面にガイド突起が設けられ、前記ロウソク台は筒体で形成され、該ロウソク台の外周面に垂直部から上部で水平部に連続する鉤状またはＴ字状のガイド溝またはガイド孔が設けられ、保護カバーは、ガイド突起がロウソク台のガイド溝またはガイド孔に嵌入し、該ガイド溝またはガイド孔にガイドされて出し入れ移動可能となっており、
保護カバーは、ガイド突起を前記ガイド溝またはガイド孔の垂直部にガイドさせて引き上げ、上部で保護カバーを回動させガイド突起をガイド溝またはガイド孔の水平部に位置させ、位置保持することを特徴とする請求項１記載の燈明台。
【請求項５】
前記外筒の上端開口には、該開口を開閉する蓋体が設けられていることを特徴とする請求項１乃至４のいずれか１項記載の燈明台。
【請求項６】
前記基台は、墓前に設置する供物台であることを特徴とする請求項１乃至５のいずれか１項記載の燈明台。
【発明の詳細な説明】
【技術分野】
【０００１】
本発明は、ロウソクに火を点けて墓前等に供えるための燈明台に関する。
【背景技術】
【０００２】
周知のように、墓所に建立される墓石の前部には、花を供える花立てとともに燈明を供える燈明台が設置される。この燈明台の形態は、地方ごとの慣習によって異なるものの、一般には墓石の前部中央の、供物台の両隣に設置される。
また、この一般的な燈明台は、燈明の設置部に扉などの防風、防雨手段を持たず、常時外部に晒される構造である。
【０００３】
ところが、このように防風、防雨手段を持たない燈明台にあっては、比較的弱い風が吹いている時にも、内部に備えた燈明（ロウソク）の火（火焔）が吹き消されてしまうという不都合があった。また、雨が降った場合には、内部が雨により水浸しになり、内部に積もった土埃が汚泥化するという不都合があった。
従って、このような風雨の条件下での法事では、ロウソクの火が吹き消されたまま、線香に火を点じるのみにて、読経を行っている場合が多い。
【０００４】
一方、風によるロウソクの火の吹き消しを防止するために、線香立ておよびロウソク立てを持つ基台と本体とからなり、本体を、三方の周側板と、この周側板の前面の一部を透明板として、蝶番で繋いだ前面扉と、背面側周側板の上縁に蝶番で繋いだ上蓋と、から構成した金属板製の燈明台が提案されている（例えば、特許文献１参照）。
【０００５】
また、前記のような風によるロウソクの火（火焔）の吹き消しを防止するために、上部が開口した透明円筒体で形成された風除けカバーを台部の上に立設し、この風除けカバーの側壁にスリットを縦方向に形成し、ロウソク受け皿部に、可動棒を横方向に突設し、この可動棒に、その長手方向に沿って間隔をおいて内周側押え板と外周側押え板を取り付けるとともに、この外周側押え板に、弾性材を介してストッパーを取り付け、前記ロウソク受け皿部と内周側押え板とを風除けカバーの内側に配置し、外周側押え板とストッパーを風除けカバーの外側に配置するように可動棒をスリットに上下動自在に貫通させ、スリットの近傍の外側面にストッパーを弾性的に当接させて、内周側押え板と外周側押え板との間でスリットの近傍の側壁を両側から挟持する昇降式ロウソク立てが提案されている。これによれば風除けカバーを固定し、ロウソク受け皿部を昇降自在に支持することで、ロウソクの芯に対する点火が容易で、風による火（火焔）の吹き消しを防止でき、しかもカバーの損傷や紛失を防止することができる（例えば、特許文献２参照）。
【先行技術文献】
【特許文献】
【０００６】
【特許文献１】実公平４−３０２９２号公報
【特許文献２】特開２００４−３５６００８号公報
【発明の概要】
【発明が解決しようとする課題】
【０００７】
しかしながら、前記金属板製の燈明台にあっては、前面扉を開いて内部に供えたロウソクの火が、前面扉を閉じることによって外風に晒されないため、消えることはないものの、金属板自体が赤熱まではいかないにしても、ロウソクの燃焼熱により相当の高温に熱せられ、これに身体の一部が触れると火傷を負うという問題があった。また、燈明台の中は狭く、内部のロウソク立てに立てたロウソクに点火する作業が極めて面倒であった。更に、この金属板製の燈明台は、仏具に相応しい重量感や荘重感が得られず、仏具として外観上墓石に馴染まないという問題があった。
【０００８】
また、前記昇降式ロウソク立てにあっては、風除けカバーを取り外したり被せたりする手間がなくなり、落として割れたり、紛失したりすることを回避できるものの、構成および取り扱いが面倒で高価になるという不都合があった。
【０００９】
本発明はこのような従来の問題点に着目してなされたものであり、風の影響を受け難くし、点火に続くロウソクの火焔発生状態を安定的に維持できるとともに、構成および取扱いが簡素で、安全に使用することができる墓石用等の燈明台を得ることを目的とする。
【課題を解決するための手段】
【００１０】
前記課題を解決するため、本発明の請求項１に係る燈明台は、ロウソクに火を点けて墓前に備える燈明台であって、
上面から内部に貫通する開口が設けられた基台と、該基台の開口内に設置され、その上端開口が基台上面に臨んで設けられる外筒と、該外筒内に出し入れ可能に収納され、引き上げた所定位置で位置保持可能な透明筒体の保護カバーと、該保護カバー内に位置して設置される頂部にロウソク立てを有するロウソク台と、を備え、
通常時は、保護カバーを外筒内に収納した状態でロウソク台のロウソク立てにロウソクを立てて使用可能とし、風の吹いている時は、ロウソク台のロウソク立てに立てたロウソクを囲む位置まで引き上げ位置保持させ、ロウソクの火が風で吹き消されるのを保護することを特徴とする。
【００１１】
この構成により、燈明台が室内に設置された場合や屋外で風が吹いていない場合、等の通常時は、保護カバーを外筒内に収納したままの状態、つまり保護カバーを外筒内より引き上げない状態にして、ロウソク台のロウソク立てにロウソクを立て、点火を行って、そのままそのロウソクの火を安定的に維持せしめることができる。
一方、風が吹いて点火したロウソクの火が吹き消されるような状況下においては、保護カバーを引き上げ、ロウソク立てに立て、点火されたロウソクの周囲を囲む位置で位置保持させることで、吹く風の影響を防止し、ロウソクの火が吹き消されることを未然に防止することができる。なお、透明筒体の保護カバーは、半透明の場合も含むものである。
【００１２】
また、本発明の請求項２に係る燈明台は、前記保護カバーの下部内部に直径方向に横断する格好でガイド棒が架設され、前記ロウソク台は筒体で形成され、該筒体のロウソク台の周面に垂直部から上部で水平部に連続する鉤状またはＴ字状のガイド孔が対称位置に対向する格好で設けられ、保護カバーは、ガイド棒がロウソク台の対向するガイド孔に貫通して挿入され、該対向するガイド孔にガイドされて出し入れ移動可能となっており、
保護カバーは、ガイド棒を前記対向するガイド孔の垂直部にガイドさせて引き上げ、上部で保護カバーを回動させガイド棒をガイド孔の水平部に位置させ、位置保持することを特徴とする
【００１３】
この構成により、保護カバーは、ガイド棒を、ロウソク台の対向するガイド孔の垂直部にガイドさせて引き上げ、上部で保護カバーを回動することで、ガイド棒をガイド孔の水平部に位置させ、位置保持することができる。また、ガイド棒は、対向するガイド孔を貫通して挿入されているので、対向する２つのガイド孔でガイドされるため、保護カバーの移動が安定する。
【００１４】
また、本発明の請求項３に係る燈明台は、前記保護カバーの下部外周面には、ガイド突起が設けられ、前記外筒には、垂直部から上部で水平部に連続する鉤状またはＴ字状のガイド溝またはガイド孔が設けられ、保護カバーは、ガイド突起が外筒のガイド溝またはガイド孔に嵌入し、ガイド溝またはガイド孔にガイドされて出し入れ移動可能となっており、保護カバーは、ガイド突起を前記ガイド溝またはガイド孔の垂直部にガイドさせて引き上げ、上部で保護カバーを回動させガイド突起をガイド溝またはガイド孔の水平部に位置させ、位置保持することを特徴とする。
【００１５】
この構成により、保護カバーは、ガイド突起を外筒のガイド溝またはガイド孔の垂直部にガイドさせて引き上げ、上部で保護カバーを回動することで、ガイド突起をガイド溝またはガイド孔の水平部に位置させ、位置保持することができる。
【００１６】
また、本発明の請求項４に係る燈明台は、前記保護カバーの下部内周面にガイド突起が設けられ、前記ロウソク台は筒体で形成され、該ロウソク台の外周面に垂直部から上部で水平部に連続する鉤状またはＴ字状のガイド溝またはガイド孔が設けられ、保護カバーは、ガイド突起がロウソク台のガイド孔に嵌入し、該ガイド溝またはガイド孔にガイドされて出し入れ移動可能となっており、
保護カバーは、ガイド突起を前記ガイド溝またはガイド孔の垂直部にガイドさせて引き上げ、上部で保護カバーを回動させガイド突起をガイド溝またはガイド孔の水平部に位置させ、位置保持することを特徴とする。
【００１７】
この構成により、保護カバーは、ガイド突起をロウソク台のガイド溝またはガイド孔の垂直部にガイドさせて引き上げ、上部で保護カバーを回動することで、ガイド突起をガイド溝またはガイド孔の水平部に位置させ、位置保持することができる。
【００１８】
また、本発明の請求項５に係る燈明台は、前記外筒の上端開口には、該開口を開閉する蓋体が設けられていることを特徴とする。
この構成により、不使用時は、外筒の上端開口を蓋体で閉塞して保護することができ、使用時に蓋体を開放すればよい。
【００１９】
さらに、本発明の請求項６に係る燈明台は、前記基台を墓前に設置する供物台とする。
この構成により、例えば、供物台の中央付近を供物の載置部分とし、その両端側を燈明台とすることが可能となる。
【発明の効果】
【００２０】
本発明によれば、点火したロウソクの火が風を受けて吹き消されないように保護でき、これを簡素な構成で、安全かつ容易に実施することができる。
また、不使用時は、外筒内に収納して、蓋体で閉塞しておくことができ、室内や室外でも風のない状況下では、蓋体を開放するだけで使用可能であり、風の吹いている時は、蓋体を開放し、保護カバーを引き上げてロウソクの火が吹き消されるのを防止することができる。
【００２１】
以上、本発明について簡潔に説明した。更に、以下に発明を実施するための最良の形態を添付の図面を参照して詳細に説明する。
【図面の簡単な説明】
【００２２】
【図１】本発明の第１の実施の形態を示す燈明台の斜視図である。
【図２】本発明の第１の実施の形態を示す燈明台要部の不使用時の縦断面図である。
【図３】本発明の第１の実施の形態を示す燈明台要部の分解斜視図である。
【図４】本発明の第１の実施の形態を示す燈明台要部の使用状態の縦断面図である。
【図５】燈明台における外筒のガイド孔（溝）と保護カバーのガイド突起との関係を示す斜視図で、（ａ）が保護カバーの収納時、（ｂ）が保護カバーの引き上げ時を示す。
【図６】本発明の第２の実施の形態を示す燈明台の要部斜視図である。
【図７】本発明の第２の実施の形態を示す燈明台要部の不使用時の縦断面図である。
【図８】本発明の第２の実施の形態を示す燈明台要部の分解斜視図である。
【図９】本発明の第２の実施の形態を示す燈明台要部の使用状態の縦断面図である。
【図１０】燈明台におけるロウソク台のガイド孔（溝）と保護カバーのガイド突起との関係を示す斜視図で、（ａ）が保護カバーの収納時、（ｂ）が保護カバーの引き上げ時を示す。
【図１１】本発明の第３の実施の形態を示す燈明台要部の不使用時の縦断面図である。
【図１２】本発明の第３の実施の形態を示す燈明台要部の分解斜視図である。
【発明を実施するための形態】
【００２３】
以下に、本発明の実施の形態に係る燈明台を、図１乃至図１２を参照して説明する。
まず、図１乃至図５を参照して、本発明の第１の実施の形態に係る燈明台について説明する。
この第１の実施の形態に係る燈明台Ａは、上面から内部に貫通する開口２（図３参照）が設けられた基台１と、該基台１の開口２内に設置された外筒３と、該外筒３内に出し入れ可能に収納され、引き上げた所定位置で位置保持可能な透明筒体の保護カバー８と、該保護カバー８内に位置して設置されたロウソク台１０と、を備える。
【００２４】
基台１は、矩形の石材等からなり、本例では該基台１の左右に一対を設けた場合を示している。基台１の石材としては、御影石などの自然石のほか人造石などを用いることができる。なお、基台１は、石材以外の木材の加工や合成樹脂の成形によって形成したものを用いることは任意である。石材製の墓前に設置する場合には、基台１も石材製とするのが、統一感があって好ましいが、室内で用いる場合には、木材製や合成樹脂製が好ましい。また、基台１は、供物台を使用してもよい。例えば、墓前には供物台が設置されるが、この供物台の左右の両側に燈明台Ａを設置することが可能となる。
なお、本例では基台１の上面の左右２箇所に、内部に貫通する開口２が穿設されている。
【００２５】
外筒３は、基台１の該開口２に挿入されて設置されるが、その時、外筒３の上端開口４が基台１の上面に臨んで設けられる。外筒３の上端開口４（図３参照）の周縁には、円弧状に膨らみを持たせた化粧フランジ５が設けられており、外筒３を基台１の開口２に挿入したとき、この化粧フランジ５が基台１の上面に係止して位置固定をする。また、外筒３は化粧フランジ５より少し突出しており、この突出部の外周に後述する蓋体１４を螺合するネジ６が設けられている。
【００２６】
また、外筒３は、ステンレスなどの金属や硬質の合成樹脂などからなり、その胴部内周面には、ガイド溝またはガイド孔７が設けられている。本例ではガイド孔７として説明する。このガイド孔７は、垂直部７ａから上部で水平部７ｂに連続する鉤状またはＴ字状のガイド孔７で示している。Ｔ字状のガイド孔７だと、上部で後述する保護カバー８を左右いずれに回してもガイド突起９を水平部７ｂに位置させることができるので好ましい。
【００２７】
前記外筒３内には、透明筒体の保護カバー８が出し入れ可能に収納されている。この保護カバー８は、引き上げた所定位置で位置保持可能となっている。本例では、保護カバー８の下部外周面にガイド突起９が突設され、保護カバー８は、該ガイド突起９が外筒３のガイド孔７に嵌入し、該ガイド孔７にガイドされて出し入れ移動可能となっており、保護カバー８は、図５（ａ）から（ｂ）に示すようにガイド孔７の垂直部７ａにガイドさせて引き上げ、上部で保護カバー８を回動させてガイド突起９がガイド孔７の水平部７ｂに位置させ位置保持可能となっている。図２は保護カバー８が収納されている状態を示し、図４は保護カバー８が引き上げられた状態を示している。
【００２８】
保護カバー８は、ロウソク１７の火が風で吹き消されるのを防止するものであるので、図４に示すように保護カバー８を引き上げると、ロウソク１７の周囲は保護カバー８で囲まれた状態となる。従って、保護カバー８は透明または半透明の合成樹脂やガラスで形成し、ロウソクの燈明（火）が外部より透視可能とするのが好ましい。また、図４に示すようにロウソク１７に火が点けられると、火焔により加熱される場合もあるので、保護カバー８は、耐熱性としてもよい。即ち、耐熱性の合成樹脂やガラスを用いるのがよく、加熱され難い材質のものが、さらに好ましい。
【００２９】
また、前記透明筒体の保護カバー８内には、頂部にロウソク立て１１を備えるロウソク台１０が設置される。ロウソク台１０は、本例では筒体で示しているが、これはロウソク立て１１を支持する支持体であればよく、筒体には限定されない。例えば、棒状の支柱であってもよい。ロウソク立て１１は、ロウ受皿１２と該ロウ受皿１２の中心に立設したロウソク立てピン１３で形成されている。ロウソク１７は、ロウソク立てピン１３に挿して立てて使用する（図４参照）。従って、ロウ受皿１２やロウソク立てピン１３は、加熱され熔融したロウに晒されるので、耐熱性の部材で形成する。例えば、真鍮等の金属、耐熱性の合成樹脂および陶器等で形成するのが好ましい。
なお、ロウソク台１０の頂部は、基台１の上面と略同じ高さ位置とし、この頂部にロウソク立て１１を設けるようにすると、ロウソク立て１１のロウ受皿１２がちょうど基台１の上面に載置された位置と合致し、あたかも基台１の上面に載置されているように見えるので好ましい。
【００３０】
また、外筒３の上端には、蓋体１４が開閉可能に設けられる。本例の蓋体１４は、外筒３と同径の筒体で上端に天板を一体に有するものからなり、金属や合成樹脂で外筒３の上端開口を覆うことができるサイズおよび形状に作られている。この蓋体１４は、筒体の下端内周面にネジ１５が設けられ、外筒３の上端外周面に設けた前記ネジ６に螺合して着脱可能になり、開閉できるようになっている。従って、不使用時には、図２に示すように蓋体１４を外筒３の上端に螺合して閉塞可能となり、使用時には、図１に示すように蓋体１４を取り外し開放可能となっている。
【００３１】
かかる構成になる燈明台Ａは、例えば墓前に花立てなどと共に設置され、法事等においてロウソクを装着し、これに点火するように用いられる。即ち、まず墓参者は、基台１に設置された外筒３の上端に図２に示すように螺合されている蓋体１４を回動して取り外す。これにより外筒３および保護カバー８の上端開口部、ロウソク台１０頂部のロウソク立て１１が露出する。この時、保護カバー８のガイド突起９は、外筒３のガイド孔７のうち、垂直部７ａの最下端に位置し、保護カバー８は外筒３内に収納されている。
【００３２】
この場合において、墓前付近に風が吹いていなければ、蓋体１４を取り外しただけの状態で、外筒３より僅かに上位に位置するように露出しているロウソク立て１１のロウソク立てピン１３に、ロウソク１７を挿して立てる。そして、このロウソク１７の芯にマッチなどによって点火（着火）することで、点火したロウソク１７が発生する火焔を安定的に維持することができる。なお、ロウソクの点火とは別に、線香立てにも点火し、さらに花立てに花も供えることによって、お参りをすることとなる。
【００３３】
一方、墓前付近にロウソクの火（火焔）が吹き消されるほどの風が吹いている場合には、ロウソク立て１１にロウソク１７を立て、火を点火した後、保護カバー８の上端部周縁を指で摘みながら、外筒３内より引き上げると、保護カバー８のガイド突起９は外筒３のガイド孔７の垂直部７ａにガイドされて引き上げられ、ガイド突起９が垂直部７ａの上端に達すると引き上げが規制されるから、そこで保護カバー８を回動（例えば、時計方向に）する。即ち、図５（ａ）の状態から（ｂ）に示す状態とする。これにより、保護カバー８のガイド突起９は、外筒３のガイド孔７の水平部７ｂに移動し、支承され、保護カバー８は引き上げられ図４に示すようにロウソク立て１１に立てたロウソク１７の周囲を囲む位置が保持される。このため保護カバー８は、ロウソク１７の点火によって発生する火焔の周囲を覆い、風によってその火焔が吹き消されるのを防止する。従って、風が吹いている日でもロウソクの火が消えることなく、安心して墓参りをすることができる。
図１で一方は、蓋体１４を取り外しただけの状態を示し、他方は蓋体１４を取り外し、ロウソク立てに立てたロウソク１７に点火し、保護カバー８を引き上げた状態を示している。
【００３４】
また、墓参を終えた後はロウソク１７の火を消し、保護カバー８を先とは逆に回動操作（例えば、反時計方向）する。これによりガイド突起９はガイド孔７の水平部７ｂから垂直部７ａに移動し、垂直部７ａに沿って下方に移動し、遂には垂直部７ａの最下端に至ることによって、保護カバー８は、外筒３内に収納される。そこで、外筒３の上端に蓋体１４を螺合して閉塞することで、図２に示す不使用時の状態とする。
【００３５】
次に、図６乃至図１０を参照して、本発明の第２の実施の形態にかかる燈明台について説明する。
この第２の実施の形態にかかる燈明台Ｂは、ロウソクに火を点けて墓前に供える燈明台であって、上面から内部に貫通する開口２が設けられた基台１と、該基台１の開口２内に設置され、その上端開口４が基台１の上面に臨んで設けられる外筒３と、該外筒３内に出し入れ可能に収納され、引き上げた所定位置で位置保持可能な透明筒体の保護カバー８と、該保護カバー８内に位置して設置される頂部にロウソク立て１１を有するロウソク台１０と、を備え、通常、保護カバー８は外筒３内に収納されており、使用時にはロウソク台１０のロウソク立て１１に立てたロウソクを囲む位置まで引き上げ位置保持させる構成は、前記第１の実施の形態と同様である。
【００３６】
この第２の実施の形態にかかる燈明台Ｂは、保護カバー８の下部内周面にガイド突起９が設けられ、ロウソク台１０は筒体で形成され、該ロウソク台１０の外周面に垂直部７ａから上部で水平部７ｂに連続する鉤状のガイド孔７が設けられ、保護カバー８は、ガイド突起９がロウソク台１０のガイド孔７に嵌入し、該ガイド孔７にガイドされて出し入れ移動可能となっており、保護カバー８は、ガイド突起９を前記ガイド孔７の垂直部７ａにガイドさせて引き上げ、上部で保護カバー８を回動させガイド突起９をガイド孔７の水平部７ｂに位置させ、位置保持する構成に特徴があり、他は前記第１の実施の形態と同様であるので同様な構成要素には同一符号を付して他の詳細な説明は省略する。
【００３７】
なお、前記第１の実施の形態の蓋体１４は、外筒３の上端に螺合して着脱可能となっている場合を示しているが、この第２の実施の形態の蓋体１４は、外筒３の上端に蝶番１６で連結し、開閉可能とした場合を示している（図６参照）。また、図９および図１０では、蓋体１４を省略して示している。
【００３８】
かかる構成になる燈明台Ｂも、第１の実施の形態にかかる燈明台Ａと同様の作用、効果を奏する。即ち、まず墓参者は、基台１に設置された外筒３の上端に図７に示すように被せられ蓋体１４を、蝶番１６を中心に図６のように開放する。これにより外筒３および保護カバー８の上端開口部、ロウソク台１０頂部のロウソク立て１１が露出する。このとき保護カバー８のガイド突起９は、ロウソク台１０のガイド孔７のうち、垂直部７ａの最下端に位置し、保護カバー８は外筒３内に収納されている（図６、図１０（ａ））。この場合において、墓前付近に風が吹いていなければ、図６に示すように蓋体１４を開放しただけの状態で、外筒３より僅かに上位に位置するように露出しているロウソク立て１１のロウソク立てピン１３に、ロウソク１７を挿して立てる。そして、このロウソク１７の芯にマッチなどによって点火（着火）することで点火したロウソク１７が発生する火焔を安定的に維持することができる。
【００３９】
一方、墓前付近にロウソクの火（火焔）が吹き消されるほどの風が吹いている場合には、ロウソク立て１１にロウソク１７を立て、点火した後、保護カバー８の上端部周縁を指で摘みながら、外筒３内より引き上げると、保護カバー８のガイド突起９は、ロウソク台１０のガイド孔７の垂直部７ａにガイドされて引き上げられ、ガイド突起９が垂直部７ａの上端に達すると引き上げが規制されるから、そこで保護カバー８を回動（例えば、時計方向に）する（図１０（ａ）の状態から（ｂ）の示す状態とする。）。これにより保護カバー８のガイド突起９は、ロウソク台１０のガイド孔７の水平部７ｂに移動し支承され、保護カバー８は、引き上げられて図９に示すようにロウソク立て１１に立てたロウソク１７の周囲を囲む位置が保持される。このため保護カバー８は、ロウソク１７の点火によって発生する火焔の周囲を覆い、風によってその火焔が吹き消されるのを防止する。従って、風が吹いている日でもロウソクの火が消えることなく、安心して墓参りをすることができる。
【００４０】
また、墓参りを終えた後は、ロウソク１７の火を消し、保護カバー８を先とは逆に回動操作（例えば、反時計方向に）する。これにより保護カバー８のガイド突起９は、ガイド孔７の水平部７ｂから垂直部７ａに移動し、遂には垂直部７ａの最下端に至ることによって保護カバー８は、外筒３内に収納される。そこで、外筒３の上端に蓋体１４を閉じることで、図７に示す不使用時の状態とする。
【００４１】
なお、第１および第２の実施の形態では、保護カバー８に設けたガイド突起９のガイドとしてガイド孔７で説明したが、これに代えてガイド溝でもよく、ガイド溝でもガイド孔と同様にガイド突起９をガイドできる。また、ガイド孔７またはガイド溝は、垂直部７ａから水平部７ｂに一方向だけに延びる鉤状で説明したが、これも左右の両方に延びるＴ字状であってもよい。また、ガイド突起９とガイド孔（溝）７の組み合わせは１つだけでなく、複数であってもよい。
【００４２】
また、次に、図１１および図１２を参照して、本発明の第３の実施の形態に係る燈明台について説明する。
この第３の実施の形態に係る燈明台Ｃは、ロウソクに火を点けて墓前に供える燈明台であって、上面から内部に貫通する開口２が設けられた基台１と、該基台１の開口２内に設置され、その上端開口４が基台１の上面に臨んで設けられる外筒３と、該外筒３内に出し入れ可能に収納され、引き上げた所定位置で位置保持可能な透明筒体の保護カバー８と、該保護カバー８内に位置して設置される頂部にロウソク立て１１を有するロウソク台１０と、を備え、通常、保護カバー８は外筒３内に収納されており、使用時にはロウソク台１０のロウソク立て１１に立てたロウソクを囲む位置まで引き上げ位置保持させる構成は、前記第１および第２の実施の形態と同様である。
【００４３】
この第３の実施の形態に係る燈明台Ｃは、保護カバー８の下方内部に直径方向に横断するガイド棒９ａが架設され、ロウソク台１０は筒体で形成され、該ロウソク台１０の筒体には、垂直部７ａから上部で水平部７ｂに連続する鉤状（これはＴ字状でもよい。）のガイド孔７が、中心線を基準とする対称位置に互いに対向する格好で設けられ、保護カバー８は、ガイド棒９ａがロウソク台１０の対向するガイド孔７、７に貫通して挿入され、該対向するガイド孔７、７にガイドされ出し入れ移動可能となっており、保護カバー８は、ガイド棒９ａを対向するガイド孔７、７の垂直部７ａ、７ａにガイドさせて引き上げ、上部で保護カバー８を回動させガイド棒９ａをガイド孔７、７の垂直部７ｂ、７ｂに位置させ、位置保持する構成に特徴があり、他は前記第１および第２の実施の形態と同様であるので、同様な構成要素には同一符号を付して他の詳細な説明は省略する。
【００４４】
この第３の実施の形態にかかる燈明台Ｃは、保護カバー８内に直径方向に横断して設けられたガイド棒９ａが、ロウソク台１０の対向するガイド孔７、７にガイドされて出し入れ移動するので、保護カバー８の移動が安定する利点がある。
【００４５】
かかる構成になる燈明台Ｃも、第１および第２の実施の形態にかかる燈明台Ａ、Ｂと同様の作用、効果を奏する。即ち、まず墓参者は、基台１に設置された外筒３の上端に図１１に示すように被せられた蓋体１４を、蝶番１６を中心に一点鎖線で示すように開放する。これにより外筒３および保護カバー８の上端開口部、ロウソク台１０頂部のロウソク立て１１が露出する。このとき保護カバー８のガイド棒９ａは、ロウソク台１０のガイド孔７、７のうち、垂直部７ａ、７ａの最下端に位置し、保護カバー８は外筒３内に収納されている（図１１）。この場合において、墓前付近に風が吹いていなければ、蓋体１４を開放しただけの状態で、外筒３より僅かに上位に位置するように露出しているロウソク立て１１のロウソク立てピン１３に、ロウソク１７を挿して立てる。そして、このロウソク１７の芯にマッチなどによって点火（着火）することで点火したロウソク１７が発生する火焔を安定的に維持することができる。
【００４６】
一方、墓前付近にロウソクの火（火焔）が吹き消されるほどの風が吹いている場合には、ロウソク立て１１にロウソク１７を立て、点火した後、保護カバー８の上端部周縁を指で摘みながら、外筒３内より引き上げると、保護カバー８のガイド棒９ａは、ロウソク台１０のガイド孔７、７の垂直部７ａ、７ａにガイドされて引き上げられ、ガイド棒９ａが垂直部７ａ、７ａの上端に達すると引き上げが規制されるから、そこで保護カバー８を回動（例えば、時計方向に）する。これにより保護カバー８のガイド棒９ａは、ロウソク台１０のガイド孔７、７の水平部７ｂ、７ｂに移動し支承され、保護カバー８は、引き上げられてロウソク立て１１に立てたロウソク１７の周囲を囲む位置が保持される。このため保護カバー８は、ロウソク１７の点火によって発生する火焔の周囲を覆い、風によってその火焔が吹き消されるのを防止する。従って、風が吹いている日でもロウソクの火が消えることなく、安心して墓参りをすることができる。
【００４７】
また、墓参りを終えた後は、ロウソク１７の火を消し、保護カバー８を先とは逆に回動操作（例えば、反時計方向に）する。これにより保護カバー８のガイド棒９ａは、ガイド孔７、７の水平部７ｂ、７ｂから垂直部７ａ、７ａに移動し、遂には垂直部７ａ、７ａの最下端に至ることによって保護カバー８は、外筒３内に収納される。そこで、外筒３の上端に蓋体１４を閉じることで、不使用時の状態とする。
【００４８】
以上の通り、本発明に係る燈明台は、不使用時は蓋体で閉塞しておき、風の吹いていない時は、蓋体を開いただけで使用でき、風が吹いている時は、保護カバーを引き上げてロウソクの周囲を囲み、ロウソクの火が風で吹き消されるのを防止して使用することができる。
【符号の説明】
【００４９】
１  基台
２  開口
３  外筒
４  外筒の上端開口
５  化粧フランジ
６  ネジ
７  ガイド孔（ガイド溝）
７ａ  垂直部
７ｂ  水平部
８  保護カバー
９  ガイド突起
９ａ  ガイド棒
１０  ロウソク台
１１  ロウソク立て
１２  ロウ受皿
１３  ロウソク立てピン
１４  蓋体
１５  ネジ
１６  蝶番
１７  ロウソク
Ａ、Ｂ、Ｃ  燈明台
【図１】
2014134033.tif 000003
【図２】
2014134033.tif 000004
【図３】
2014134033.tif 000005
【図４】
2014134033.tif 000006
【図５】
2014134033.tif 000007
【図６】
2014134033.tif 000008
【図７】
2014134033.tif 000009
【図８】
2014134033.tif 000010
【図９】
2014134033.tif 000011
【図１０】
2014134033.tif 000012
【図１１】
2014134033.tif 000013
【図１２】
2014134033.tif 000014